(57)【要約】      （修正有）【課題】インクジェット用インクを記録ヘッド内に充填する前に、簡易な方法でインクジェット用インクの吐出性能を検査することが可能なインク検査方法、インク検査装置及びインクジェット式記録方法を提供する。【解決手段】インクジェット用のインクの吐出性能を検査するインク検査装置であって、インクを保持する保持体２Ａと、保持体２Ａにより保持されたインクにおける少なくとも１つの特定部位について、粘度を静止状態で経時的に測定し、複数時点での粘度データを測定する粘度センサ４と、少なくとも１つの特定部位における複数時点での粘度データに基づいて、当該特定部位におけるインクの増粘速度データを得る増粘速度データ生成手段と、増粘速度データを、インクのインクジェット式記録装置における吐出性能を評価する指標として表示する表示手段７とを有する。【選択図】図１
2015193112.tif 000002
【特許請求の範囲】
【請求項１】
インクジェット式記録装置におけるインクジェット用のインクの吐出性能を検査するインク検査装置であって、
前記インクにおける少なくとも１つの特定部位について、粘度を静止状態で経時的に測定し、複数時点での粘度データを測定する粘度センサと、
前記少なくとも１つの特定部位における複数時点での粘度データに基づいて、当該特定部位におけるインクの増粘速度データを得る増粘速度データ生成手段と、
前記増粘速度データを、前記インクの前記インクジェット式記録装置における吐出性能を評価する指標として表示する表示手段とを有するインク検査装置。
【請求項２】
前記増粘速度データと評価基準とに基づいて、前記インクの前記インクジェット式記録装置における吐出性能を評価するための評価データを生成する評価手段をさらに備え、
前記表示手段は、前記評価データを表示する請求項１に記載のインク検査装置。
【請求項３】
前記評価基準は、インクの増粘速度が０．１ｍＰａ・ｓ／ｍｉｎ以下、又は−０．１ｍＰａ・ｓ／ｍｉｎ以上である請求項２に記載のインク検査装置。
【請求項４】
前記インクの特定部位が、当該インクの上面付近及び／又は下面付近に設定される請求項１〜３の何れか１項に記載のインク検査装置。
【請求項５】
前記粘度センサが、表面音響波センサである請求項１〜４に記載のインク検査装置。
【請求項６】
インクジェット式記録装置におけるインクジェット用のインクの吐出性能を検査するインク検査方法であって、
前記インクにおける少なくとも１つの特定部位について、粘度を静止状態で経時的に測定し、複数時点での粘度データを得る測定工程と、
前記少なくとも１つの特定部位における複数時点での粘度データに基づいて、当該特定部位におけるインクの増粘速度データを得る増粘速度データ生成工程と、
前記増粘速度データと評価基準とに基づいて、前記インクの前記インクジェット式記録装置における吐出性能を評価する評価工程とを有するインク検査方法。
【請求項７】
前記評価基準として、インクの増粘速度が０．１ｍＰａ・ｓ／ｍｉｎ以下、又は−０．１ｍＰａ・ｓ／ｍｉｎ以上であることを用いる請求項６に記載のインク検査方法。
【請求項８】
前記インクの特定部位が、当該インクの上面付近及び／又は下面付近に設定される請求項６又は７に記載のインク検査方法。
【請求項９】
前記測定工程が、表面音響波センサの検出部を前記インクに接触させることにより前記粘度データを得る工程である請求項６〜８の何れか１項に記載のインク検査方法。
【請求項１０】
前記測定工程の前に前記インクを攪拌する攪拌工程を行う請求項６〜９の何れか１項に記載のインク検査方法。
【請求項１１】
インクジェット用のインクの液滴を吐出し、当該液滴を記録媒体に付着させて印刷を行うインクジェット記録方法であって、
前記インクジェット用のインクとして請求項６〜１０に記載のインク検査方法により、インクの吐出性能が評価基準を満たすものを用いるインクジェット記録方法
【発明の詳細な説明】
【技術分野】
【０００１】
本発明は、インクジェット式記録装置におけるインクジェット用のインクの吐出性能を検査するインク検査方法、インク検査装置及びインクジェット式記録方法に関する。
【背景技術】
【０００２】
インクジェット式記録装置に用いられるインクジェット用インクにおいては、粘度や表面張力等のインク物性をインクジェットヘッドの推奨範囲内に調整してもインクの吐出不良（ノズル欠けや、ドット抜けとも呼ばれる。）を生じることがあり、十分な吐出性能を発揮できない場合がある。吐出不良の原因としては、例えば、インクのチキソ性や粒径の大きい粒子の存在などが挙げられるが、インク中に含まれる顔料が沈降することによってもインクの吐出不良は生じる。すなわち、記録ヘッド内部で顔料の沈降が生じると、ノズル付近のインクは増粘する結果、インクの吐出不良となる。インクのチキソ性はレオメータにより測定可能であり、インク中に含まれる粗粒子は粒度分布測定などにより測定可能である。従って、記録ヘッドに充填する前に、これらのインク物性を測定して検査し、吐出不良の発生を低減することができる。
【０００３】
一方、顔料の沈降によるノズル付近でのインクの増粘については、実際に記録ヘッドにインクを充填して印刷評価を行う方法も採用されていた。しかしながら、この方法による評価においては、多くの評価工数が必要となる上に、大量のインクも使用することになる。また、印刷評価は、官能試験によるものであり定量的に数値化して行われるものではない。
【０００４】
これに対し、下記特許文献１及び２に開示されている液滴吐出装置等によれば、吐出ノズルに充填されたインク粘度の測定が可能であるとされている。その結果、吐出ノズル内のインクの粘度変化を迅速に把握することが可能により、吐出不良の発生を事前に防止可能としている。
【先行技術文献】
【特許文献】
【０００５】
【特許文献１】特開２００９−２６２３９８号公報
【特許文献２】特開２０１０−１２０２３３号公報
【発明の概要】
【発明が解決しようとする課題】
【０００６】
本発明は前記問題点に鑑みなされたものであり、その目的は、インクジェット用インクを記録ヘッド内に充填する前に、簡易な方法でインクジェット用インクの吐出性能を検査することが可能なインク検査方法、インク検査装置及びインクジェット式記録方法を提供することにある。
【課題を解決するための手段】
【０００７】
本発明に係るインク検査装置は、前記の課題を解決する為に、インクジェット式記録装置におけるインクジェット用のインクの吐出性能を検査するインク検査装置であって、前記インクにおける少なくとも１つの特定部位について、粘度を静止状態で経時的に測定し、複数時点での粘度データを測定する粘度センサと、前記少なくとも１つの特定部位における複数時点での粘度データに基づいて、当該特定部位におけるインクの増粘速度データを得る増粘速度データ生成手段と、前記増粘速度データを、前記インクの前記インクジェット式記録装置における吐出性能を評価する指標として表示する表示手段とを有することを特徴とする。
【０００８】
前記増粘速度データと評価基準とに基づいて、前記インクの前記インクジェット式記録装置における吐出性能を評価するための評価データを生成する評価手段をさらに備え、前記表示手段は、前記評価データを表示することが好ましい。
【０００９】
前記評価基準は、インクの増粘速度が０．１ｍＰａ・ｓ／ｍｉｎ以下、又は−０．１ｍＰａ・ｓ／ｍｉｎ以上であることが好ましい。
【００１０】
前記インクの特定部位が、当該インクの上面付近及び／又は下面付近に設定されることが好ましい。
【００１１】
本発明に係るインク検査方法は、前記の課題を解決する為に、インクジェット式記録装置におけるインクジェット用のインクの吐出性能を検査するインク検査方法であって、前記インクにおける少なくとも１つの特定部位について、粘度を静止状態で経時的に測定し、複数時点での粘度データを得る測定工程と、前記少なくとも１つの特定部位における複数時点での粘度データに基づいて、当該特定部位におけるインクの増粘速度データを得る増粘速度データ生成工程と、前記増粘速度データと評価基準とに基づいて、前記インクの前記インクジェット式記録装置における吐出性能を評価する評価工程とを有することを特徴とする。
【００１２】
前記構成に於いては、前記評価基準として、インクの増粘速度が０．１ｍＰａ・ｓ／ｍｉｎ以下、又は−０．１ｍＰａ・ｓ／ｍｉｎ以上であることを用いるのが好ましい。
【００１３】
前記構成に於いては、前記インクの特定部位が、当該インクの上面付近及び／又は下面付近に設定されることが好ましい。
【００１４】
また、前記構成に於いては、前記測定工程が、表面音響波センサの検出部を前記インクに接触させることにより前記粘度データを得る工程であることが好ましい。
【００１５】
また、前記構成に於いては、前記測定工程の前に前記インクを攪拌する攪拌工程を行うことが好ましい。
【００１６】
また、本発明のインクジェット式記録方法は、前記の課題を解決する為に、インクジェット用のインクの液滴を吐出し、当該液滴を記録媒体に付着させて印刷を行うインクジェット記録方法であって、前記インクジェット用のインクとして前記に記載のインク検査方法により、インクの吐出性能が評価基準を満たすものを用いることを特徴とする。
【発明の効果】
【００１７】
本発明は、前記に説明した手段により、以下に述べる効果を奏する。
すなわち、インクジェット用のインクは分散媒よりも比重の大きい顔料を含んでいるため、当該顔料は時間の経過に共に沈降する。本発明においては、検査対象となるインクの特定部位における粘度を経時的に測定し、当該特定部位における複数時点での粘度データを得ることで、顔料の沈降状態の経時的変化を把握することが可能になる。また、粘度の測定はインクが静止状態であるときに行うので、顔料の沈降状態を高精度で確認することができる。そして、複数時点での粘度データを基に、特定部位におけるインクの増粘速度データを得ることができる。これにより、顔料の沈降に起因した吐出不良を発生しない増粘速度を評価基準とし、得られた増粘速度データと比較することにより、検査対象であるインクのインクジェット式記録装置における吐出性能を評価することができる。すなわち、本発明のインク検査方法によれば、検査対象であるインクの増粘速度を使用前に測定し、さらに、顔料の沈降に起因した吐出不良を発生しない増粘速度を評価基準にしてこれと比較することで、インクの吐出性能を高精度で簡便に検査することができる。
【図面の簡単な説明】
【００１８】
【図１】実施の形態１に係るインク検査装置１の構成を概略的に示す説明図である。
【図２】実施の形態１に係る測定部４Ａの構成を示す説明図である。
【図３】実施の形態１に係る測定部４Ｂの構成を示す説明図である。
【図４】実施の形態１に係る制御部６の電気的構成を示すブロック図である。
【図５】実施の形態１に係る沈降状態評価の動作を示すフロー図である。
【図６】実施の形態２に係るインク検査装置１Ａの構成を概略的に示す説明図である。
【図７】実施の形態２に係るインク検査装置１Ａの粘度センサ４の構成を示す説明図である。
【図８】実施の形態２に係る制御部６Ａの電気的構成を示すブロック図である。
【図９】実施の形態２に係る沈降状態評価の動作を示すフロー図である。
【図１０】実施の形態２に係る沈降状態評価の動作過程におけるインク検査装置１Ａを概略的に示す説明図である。
【図１１】実施の形態１の変形例に係るインク検査装置１Ｂの構成を概略的に示す説明図である。
【図１２】実験例１、実験例２及び実験例３に係る白色インクを経時的に粘度測定した場合の粘度−経過時間をプロットした図である。
【発明を実施するための形態】
【００１９】
（実施の形態１）
＜１．１  実施の形態１のインク検査装置１の構成＞
図１は、本実施の形態１に係るインク検査装置１の構成を概略的に示す説明図である。尚、図１中の矢印Ｚは鉛直方向上向きを示している。
【００２０】
図１に示すように、インク検査装置１は、検査対象となるインクジェット用インク（以下、「インク」という。）の粘度を、静止状態で測定する測定部４Ａ及び測定部４Ｂと、測定部４Ａ、４Ｂを制御してその測定結果を基にインクの沈降状態を評価する制御部６と、制御部６における出力結果（評価結果）を表示する表示手段７とを備える。
【００２１】
測定部４Ａ、４Ｂに用いる粘度センサ４（上方粘度センサ４３、下方粘度センサ４１）としては特に限定されず、例えば、表面音響波センサ等が挙げられる。インク検査装置１の検査対象はインクジェット用のインクであれば特に限定されない。
【００２２】
以下、インク検査装置１の各部の構成について詳細に説明する。
【００２３】
＜測定部４Ａ＞
測定部４Ａについて、図２を参照しながら説明する。図２は、測定部４Ａについて、その機能に係る構成を示す説明図である。尚、図２においては、保持体２Ａにインクインクが保持される空間（以下、「測定空間Ｌ１ａ」と呼ぶ）に関して、測定空間Ｌ１ａに貯留された状態でインクが占める上下高さ範囲の中心高さに規定した仮想水平面ＩＰａを境界として、上半分の高さ範囲を「上部領域Ｌ３ａ」、下半分の高さ範囲を「下部領域Ｌ２ａ」という。
【００２４】
図２に示すように、測定部４Ａは、検査対象となるインクの粘度をその上面部位について静止状態で測定するものである。測定部４Ａは、検査対象となるインクを保持する保持体２Ａと、保持体２Ａに保持されたインクの上面付近の粘度を静止状態で測定する粘度センサ４（上方粘度センサ４３）とによって構成される。
【００２５】
保持体２Ａは、本実施の形態では上部が開口する容器によって構成され、その内部にインクを貯留することができる。
【００２６】
上方粘度センサ４３は保持体２Ａの上部の開口より入れられ、その検出部４４が保持体２Ａに貯留されているインク上面に接触するように設けられる。このため、上方粘度センサ４３によって、保持体２Ａ内に一定期間静置されるインクの少なくとも１つの特定部位（上面付近）での粘度を静止状態で経時的に測定して、複数時点での粘度データを生成することができる。
【００２７】
上方粘度センサ４３の検出部４４は、測定空間Ｌ１ａに貯留されるインクに向けて音響波を発する発信手段４４１と、発信手段４４１より発せられインク中を伝播した前記音響波を受信する受信手段４４２とを少なくとも備える。上方粘度センサ４３は、さらに、検出部４４による粘度測定を制御する測定制御手段４３１と、検出部４４による検出結果を基に粘度データを生成する粘度データ生成手段４３２とを備える。
【００２８】
発信手段４４１は、上部領域Ｌ３ａのうち上面付近の部位に対して水平方向（上方粘度センサ４３とインクとの接触面に沿った方向）に音響波（以下、「表面音響波」と呼ぶ）を発生させる手段である。一方、受信手段４４２は、発信手段４４１と水平方向に一定間隔離れた位置に設けられ、発信手段４４１から発せられインク内を伝播した前記音響波を受信する手段である。
【００２９】
測定制御手段４３１は、発信手段４４１より発せられる表面音響波の特性（振幅・周波数など）や測定期間を設定し、検出部４４による粘度測定を制御する手段である。
【００３０】
粘度データ生成手段４３２は、発信手段４４１により発された表面音響波の特性と受信手段４４２により受信された表面音響波の特性と基づいて、表面音響波の伝播の媒質であるインクにおける当該測定箇所の音響インピーダンス（単位は（ω×η×ρ）１／２）を測定し、音響粘度（単位はＡＶ）を求めるとともに、当該音響粘度を示す粘度データを生成する手段である。ただし、ωはラジアン単位で表した周波数、ρは媒質の密度、ηは媒質の固有粘度を表す。ここで、ωは測定制御手段４３１により設定可能な値であるので、音響インピーダンス（単位は（ω×η×ρ）１／２）が取得されることによって、η×ρを求めることができる。また、音響粘度（単位はＡＶ）については、ＡＶ＝η×ρ＝ｃＳｔ×ρ２という換算式にて換算可能であるので、音響インピーダンスを測定することで音響粘度を算出することが可能となる。なお、ｃＳｔは媒質の動粘度を表す。
【００３１】
上方粘度センサ４３による粘度測定の対象となる部位（特定部位）は、上部領域Ｌ３ａのうち上面付近の発信手段４４１から受信手段４４２までの区間（以下、「上方測定部位Ｌ３０」と呼ぶ）（第１部位）とすることができる。上方測定部位Ｌ３０は、顔料の沈降による経時的な粘度の低下がインク中で最も大きい部位であるので、当該部位を測定対象とすることにより沈降状態評価の精度を高めることができる。
【００３２】
上方粘度センサ４３による粘度の測定時間や測定間隔、回数は特に限定されず、適宜必要に応じて設定され得る。また、測定する特定部位の面積についても適宜必要に応じて設定することができるが、表面音響波センサを用いる場合には、局所的な領域での測定が可能である。
【００３３】
また、上方粘度センサ４３は上方測定部位Ｌ３０にミクロな振動を与えることによって当該部位の粘度を測定する測定装置であるので、振動式粘度計やコーンプレート粘度計などのマクロな可動部を有する粘度計を用いて粘度を測定する場合と異なり、極めて静的に近い状態でインクの上方測定部位Ｌ３０について粘度を測定できる。その結果、高精度な粘度測定が可能となる。なお、本発明において「静止状態で測定」とは、厳密に一切の動的処理を伴わず測定することだけを意味するものではない。表面音響波を利用した粘度測定のように、「対象物の粘度に実質的に影響しないような極めて静的に近い状態での測定」をも含む意味である。
【００３４】
以上まとめると、上方粘度センサ４３は、極めて静的に近い状態で上方測定部位Ｌ３０におけるインクの粘度（音響粘度）を測定期間中の複数時点で取得することによって、当該複数時点でのインクの粘度変化について高精度な粘度データ（以下、「上方粘度データ」と呼ぶ）を生成することができる。そして、上方粘度データは制御部６に送られる。
【００３５】
＜測定部４Ｂ＞
次に、測定部４Ｂについて説明する。図３は、下方粘度センサ４１について、その機能に係る構成を示す説明図である。尚、図３においては、測定部４Ａにおける用語と対応して、下方粘度センサ４１にインクが保持される空間（以下、「測定空間Ｌ１ｂ」と呼ぶ）に関して、測定空間Ｌ１ｂに貯留された状態でインクが占める上下高さ範囲の中心高さに規定した仮想水平面ＩＰｂを境界として、上半分の高さ範囲を「上部領域Ｌ３ｂ」、下半分の高さ範囲を「下部領域Ｌ２ｂ」と呼ぶ。
【００３６】
測定部４Ｂは、検査対象となるインクの下面部位における粘度を、静止状態で測定する。また、測定部４Ｂは、その検出部４２（検出面）が上方を向いた状態の粘度センサ４（下方粘度センサ４１）によって構成され、その検出部４２（検出面）上に接触して一定期間静置されるインクの下面付近での粘度を、前記静置期間中の複数時点について下方粘度センサ４１で測定し、この測定結果を制御部６に送信する部分である。このように、測定部４Ｂにおいては、下方粘度センサ４１の上面がインクを保持する保持体としての機能を併せ持つ。
【００３７】
下方粘度センサ４１は、上方粘度センサ４３と上下逆向きに設置され、検出部４２の測定対象となる部位（特定部位）が下部領域Ｌ２ｂのうち下面付近の発信手段４２１から受信手段４２２までの区間（以下、「下方測定部位Ｌ２０」と呼ぶ）（第２部位）である点を除いて、上方粘度センサ４３と同様の構成である。すなわち、下方粘度センサ４１は、上方粘度センサ４３における発信手段４４１、受信手段４４２、測定制御手段４３１、及び粘度データ生成手段４３２のそれぞれに対応する構成として、発信手段４２１と、受信手段４２２と、測定制御手段４１１と、粘度データ生成手段４１２とを備える。
【００３８】
下方粘度センサ４１による粘度測定の対象となる部位（特定部位）は、下部領域Ｌ２ｂのうち下面付近の発信手段４２１から受信手段４２２までの区間（以下、「下方測定部位Ｌ２０」と呼ぶ）とすることができる。下方測定部位Ｌ２０は、顔料の沈降による経時的な粘度の増加がインク中で最も大きい部位であるので、当該部位を測定対象とすることにより沈降状態評価の精度を高めることができる。
【００３９】
下方粘度センサ４１による粘度の測定時間や測定間隔、回数は特に限定されず、適宜必要に応じて設定され得る。また、測定する特定部位の面積についても適宜必要に応じて設定することができるが、表面音響波センサを用いる場合には、局所的な領域での測定が可能である。
【００４０】
また、下方粘度センサ４１は、上方粘度センサ４３と同様、測定部位にミクロな振動（表面音響波）を与えることによって当該部位の粘度を測定する測定装置であるので、極めて静的に近い状態でインクの下方測定部位Ｌ２０について粘度を測定できる。その結果、測定期間中の複数時点での高精度な粘度データ（以下、「下方粘度データ」と呼ぶ）を生成することができる。そして、下方粘度データは制御部６に送られる。
【００４１】
後述の評価工程では、上方粘度データと下方粘度データの双方から取得される粘度の経時的変化傾向に基づいてインクの沈降状態を評価する。一般にインクは経時変化と共に、その上側では顔料の沈降に伴って粘度が減少し、その下側では顔料の沈降に伴って粘度が増加することが知られている。本実施形態では、逆符号の変化傾向を持つ上方粘度データと下方粘度データとを利用して顔料の沈降状態を評価するため、一方側のみについての測定結果を基に沈降状態を評価する場合に比べて評価の信頼性が高まる。
【００４２】
＜制御部６＞
次に、制御部６について説明する。図４は、本実施の形態１に係る制御部６の電気的構成を示すブロック図である。同図に示す制御部６は、インク検査装置１の各部を制御する制御部であり、上方粘度センサ４３及び下方粘度センサ４１から得られるインクについての粘度測定結果に基づいて当該インクに分散する顔料の沈降状態を評価し、その評価結果を表示手段７に送信する。
【００４３】
制御部６のハードウェアとしての構成は一般的なコンピュータと同様にすることができる。例えば、制御部６は、各種演算処理を行うＣＰＵ６１、基本プログラムを記憶する読み出し専用のメモリであるＲＯＭ６２、各種情報を記憶する読み書き自在のメモリであるＲＡＭ６３、及び処理プログラムやデータなどを記憶しておく固定ディスク６４をバスライン６９に接続して構成することができる。
【００４４】
また、バスライン６９には、粘度センサ４（上方粘度センサ４３、下方粘度センサ４１）及び表示手段７が接続されている。制御部６のＣＰＵ６１は、固定ディスク６４に格納されている処理プログラムを実行することにより、インク検査装置１に係る各部を制御してインクの沈降状態評価を実行する。
【００４５】
表示手段７は、例えば液晶ディスプレイ等を用いて構成されており、処理結果（評価結果）やメッセージ等の種々の情報を表示することができる。
【００４６】
また、バスライン６９には入力手段６５が電気的に接続されている。入力手段６５は、例えばキーボードやマウス等を用いて構成されており、コマンドやパラメータ等の入力を受け付ける。
【００４７】
インク検査装置１の使用者は、表示手段７に表示された内容を確認しつつ入力手段６５からコマンドやパラメータ等の入力を行うことができる。なお、表示手段７と入力手段６５とを一体化してタッチパネルとして構成するようにしてもよい。
【００４８】
さらに、バスライン６９には、ＤＶＤやＣＤ−ＲＯＭなどの記録媒体ＲＭから記録内容を読み取る読取装置６６が接続されている。処理プログラムは、記録媒体ＲＭから読取装置６６によって読み出されて固定ディスク６４に格納されるようにしてもよい。また、ネットワーク経由で外部の情報処理装置からダウンロードされるようにしてもよい。
【００４９】
図４に示すように、固定ディスク６４には、インク検査装置１の処理プログラムとして、粘度センサ４で生成される粘度データ（上方粘度データ及び下方粘度データ）に基づいて、測定開始から測定終了までのインクの粘度の変化量（単位はＡＶ）を測定部位ごとに特定するプログラムである増粘速度データ生成プログラムＰＲ１と、増粘速度データと評価基準とに基づいてインク中における顔料の沈降状態を評価する評価データを得るためのプログラムである沈降状態評価プログラムＰＲ２とが格納されている。
【００５０】
従って、後述する測定工程で上方粘度データ及び下方粘度データを生成した後、ＣＰＵ６１によって増粘速度データ生成プログラムＰＲ１を実行することで後述する増粘速度データ生成工程（図５のステップＳＴ３）が、沈降状態評価プログラムＰＲ２を実行することで後述する評価工程（図５のステップＳＴ４）が実現される。
【００５１】
＜１．２  インク検査装置１を用いたインク検査方法＞
次に、インク検査装置１を用いたインク検査方法について説明する。図５は、本実施形態のインク検査装置１における沈降状態評価の動作を示すフロー図である。
【００５２】
まず、検査対象となるインクを測定部４Ａ又は測定部４Ｂの少なくとも何れかに供給し、粘度センサ４（上方粘度センサ４３及び下方粘度センサ４１）における粘度測定を開始するための準備をする（ステップＳＴ１）。本実施の形態に係るインク検査装置１は測定部４Ａ又は測定部４Ｂの何れかでインクの検査を行っても精度の高い検査を行うことが可能である。この場合、インク検査装置１を簡易な構成にできるので、検査コストの抑制が図れる。その一方、測定部４Ａと測定部４Ｂの両方で同時に測定を行うことにより、検査精度の一層の向上が図れる。
【００５３】
測定部４Ａ及び／又は測定部４Ｂへのインクの供給は、具体的には、インク検査装置１の使用者は、例えばスポイトなどの器具を用いて所定量のインクを保持体２Ａに供給し、当該インクの上面と上方粘度センサ４３の下面（検出部４４）とを接触させる。また、装置の使用者は、同様にスポイトなどの器具を用いて所定量のインクを検出部４２上に供給する。供給されたインクは、その表面張力によって検出部４２が存在する下方粘度センサ４１の上面に保持される。この結果、測定部４Ａ、４Ｂについて、ステップＳＴ２の測定工程を開始可能な状態となる（図１）。本実施の形態に於いては、粘度センサに表面音響波センサを用いることにより、インクの使用量を極めて少なくすることが可能になる。
【００５４】
ステップＳＴ２（測定工程）では、制御部６によって、測定空間Ｌ１ａに静置されるインクに対しては上方粘度センサ４３が、測定空間Ｌ１ｂに静置されるインクに対しては下方粘度センサ４１が能動化される。この結果、インクの上方測定部位Ｌ３０及び下方測定部位Ｌ２０に対して、複数時点で粘度測定が行われる。粘度測定は、例えば、室温下で行われ、また、測定時間や測定間隔は特に限定されず、適宜必要に応じて設定することができる。これにより、測定工程においては、上方粘度データ及び／又は下方粘度データからなる粘度データが生成される。
【００５５】
上方粘度センサ４３及び下方粘度センサ４１の測定動作が停止し、ステップＳＴ２での測定工程が終了すると、インクにおける沈降状態を評価・表示するための工程であるステップＳＴ３〜ステップＳＴ５と、粘度測定後のインクを排出し測定部４Ａ、４Ｂを洗浄する工程であるステップＳＴ６、ステップＳＴ７とが並行的に実行される。
【００５６】
まず、ステップＳＴ３〜ステップＳＴ５にかかる工程について説明する。
【００５７】
ステップＳＴ３は、下方粘度データ及び／又は上方粘度データに基づき増粘速度データを生成する増粘速度データ生成工程である。すなわち、制御部６は、下方粘度データ及び／又は上方粘度データを受け取ると、ＣＰＵ６１によって増粘速度データ生成プログラムＰＲ１を実行する。増粘速度データ生成プログラムＰＲ１は、測定工程で測定された複数時点での粘度データを基に、測定開始から測定終了までのインクの粘度の変化量（単位はＡＶ）を測定部位ごとに特定するプログラムである。これにより、上方粘度データに基づく上方増粘速度データと、下方粘度データに基づく下方増粘速度データがそれぞれ生成される。ここで、増粘速度データの正負は、それぞれインクの増粘と減粘を意味する。
【００５８】
続いて、ステップＳＴ４（評価工程）では、制御部６が、ＣＰＵ６１によって沈降状態評価プログラムＰＲ２を実行する。沈降状態評価プログラムＰＲ２は、第１の評価基準に基づき、下方増粘速度データが適合しているか否かの下方評価データを生成する。また、第２の評価基準に基づき、上方増粘速度データが適合しているか否かの上方評価データも生成する。このように、使用可能なインクの評価基準を予め設定しておくことにより、インクの吐出性能評価項目の削減が図れる。さらに、下方評価データ及び上方評価データに基づいて、顔料の沈降に関するインクの物性に関する総合評価データを生成させるようにしてもよい。
【００５９】
ここで、前記第１の評価基準としては、増粘速度が０．１ｍＰａ・ｓ／ｍｉｎ以下であることが好ましく、０．０６６ｍＰａ・ｓ／ｍｉｎ以下であることがより好ましい。その一方、前記第２の評価基準としては、増粘速度が−０．１ｍＰａ・ｓ／ｍｉｎ以上であることが好ましく、−０．０６６ｍＰａ・ｓ／ｍｉｎ以上であることがより好ましい。前記第１の評価基準は、インクの種類や記録ヘッドノズルの吐出口におけるサイズ、吐出形状等に応じて適宜設定されるものであるが、例えば、増粘速度を０．１ｍＰａ・ｓ／ｍｉｎ以下にすることにより、吐出不良の発生を抑制することができる。また、前記第２の評価基準についても同様であり、増粘速度を−０．１ｍＰａ・ｓ／ｍｉｎ以上にすることにより、吐出不良の発生を抑制することができる。
【００６０】
また、ステップＳＴ５では、表示手段７に評価データ（上方、下方、総合）が表示される。インク検査装置１の使用者は、表示手段７に表示される評価データを確認することで、測定対象となったインクの顔料による沈降状態を把握することができる。なお、表示手段７には、インクの物質名、粘度データ、増粘速度データ、または処理条件（温度や測定期間）など、評価データ以外の各種情報を表示させることもできる。
【００６１】
本実施形態で検査対象となったインクについては、評価データ（上方、下方、総合）を表示手段７に表示させることが可能なことから、使用者はインクが吐出不良を生じやすいものであるか否か容易に検査することができる。
【００６２】
続いて、粘度測定後のインクを排出し測定部４Ａ、４Ｂを洗浄する工程であるステップＳＴ６及びステップＳＴ７について説明する（図４）。
【００６３】
ステップＳＴ２（測定工程）でインクの粘度測定が終了すると、装置の使用者によって、インクが測定部４Ａ、４Ｂより排出され（ステップＳＴ６）、測定部４Ａ、４Ｂが洗浄される（ステップＳＴ７）。洗浄方法や洗浄条件については特に限定されず、例えば、水等により洗浄可能である。このステップＳＴ６、ステップＳＴ７の動作により、後続の検査対象となるインクを測定部４Ａ、４Ｂで測定可能な状態にすることができる。
【００６４】
＜１．３  本実施形態のインク検査装置１の効果＞
（１）  インクジェット方式では、静置状態のインクが、急激に加圧され、低せん断領域から高せん断領域に遷移しノズルから吐出される。このように、インクジェット用のインクは吐出直前まで静置状態で保管されるため、この静置期間中に当該インク内で顔料の沈降が生じうる。そして、顔料の沈降は、インク内での濃淡差による色バランスの崩壊やノズルの目詰まりを招来する。しかし、本実施形態のインク検査装置１では、下方測定部位Ｌ２０や上方測定部位Ｌ３０など局所的な粘度の経時的な測定に基づいて、吐出不良を生じるインクか否かの検査が可能になる。また、インク検査は、測定対象であるインクを静止状態にして行うので、動的な流れが生じた状態でのインクの粘度測定とは異なる。そのため、測定結果は流動の影響を受けない。これにより、吐出不良を引き起こすインクであるか否かについて高い精度で検査結果が得られる。
【００６５】
また、評価精度が高く短時間の静置（自然状態）においてわずかな顔料の沈降を評価することができるため、遠心分離法や加速試験によって沈降状態を作り出す必要がない。従って、遠心分離法や加速試験に要した測定期間（例えば、数時間）に比べて、短い測定期間（例えば、３０分）でインクの検査を行なうことができる。また、ビーカーやサンプル容器等に一定量のインクを準備する必要がある遠心分離法や加速試験に比べ、必要な最小サンプル量を減らすことができ、検査コストの抑制も図れる。
【００６６】
（２）本実施形態の測定部４Ｂでは、下方粘度センサ４１によって保持された状態におけるインクの下面付近に粘度測定の測定部位（下方測定部位Ｌ２０）が設定されている。インクの下面付近では顔料の沈降による粘度の時間的増加が最も大きいため、沈降状態評価の精度が高まる。
【００６７】
また、本実施形態の測定部４Ａでは、保持体２Ａによって保持された状態におけるインクの上面付近に粘度測定の測定部位（上方測定部位Ｌ３０）が設定されている。インクの上面付近では顔料の沈降による粘度の時間的低下が最も大きいため、沈降状態評価の精度が高まる。
【００６８】
さらに、上方測定部位Ｌ３０と下方測定部位Ｌ２０との双方についての粘度の経時的変化傾向に基づいて総合評価データを生成し、吐出不良を引き起こすインクか否かの評価をする。このように、逆符号の粘度変化傾向を持つ複数の部位での測定結果を利用して顔料の沈降状態を評価することにより、一方の領域のみについての測定結果を基に沈降状態を評価する場合に比べて検査結果の信頼性を一層向上させることもできる。
【００６９】
（実施の形態２）
＜２．１  実施の形態２に係るインク検査装置１Ａ＞
次に、本発明の実施の形態２について説明する。図６は、実施の形態２にかかるインク検査装置１Ａの構成例を概略的に示す説明図である。尚、実施の形態１のインク検査装置１と同一の要素については同一の符号を付して、その説明を省略する。
【００７０】
図６に示すように、インク検査装置１Ａは、検査対象となるインクを送液する配管部２と、配管部２内を流動するインクを攪拌して当該インク中で顔料がほぼ均一に分散した状態を形成する攪拌手段３と、攪拌手段３によって攪拌されたインクの粘度を静止状態で特定部位について測定する粘度センサ４と、インク検査装置１Ａの各部を制御してインクの沈降状態を評価する制御部６Ａと、制御部６Ａから出力される評価結果を表示する表示手段７とを少なくとも備える。
【００７１】
また、インク検査装置１Ａは、前記各部に加えて、配管部２の流路の開閉を制御する弁であって粘度センサ４に対して流路の上流側に位置する開閉弁５１と、下流側に位置する開閉弁５２を備える。従って、当該開閉弁５１、５２の開閉を制御することによって、インク検査装置１Ａ内に供給されたインクを、粘度センサ４と対向し当該粘度センサ４によって粘度測定される空間（以下、「測定空間Ｌ１」と呼ぶ）に貯留することが可能となる。
【００７２】
従って、インク検査装置１Ａは、検査対象となるインクを攪拌することにより顔料がほぼ均一な分散状態にあり、その後に測定空間Ｌ１にインクを一定期間貯留（静置）することができる。そして、前記粘度の測定期間中の複数時点でインクの特定部位における粘度を測定することで、この測定結果に基づいてインク中に分散する顔料の沈降状態を評価することができる。
【００７３】
配管部２は、沈降評価の対象となるインクを送液する配管系であって、インクをインク検査装置１Ａ内に供給するための開口である供給口２１と、供給口２１から供給されるインクを測定空間Ｌ１を経由して送液する配管２０と、配管２０内を流動し測定空間Ｌ１での粘度測定を終えたインクをインク検査装置１Ａの外部に排出する排出口２２とを少なくとも備える。
【００７４】
また、配管２０には、粘度センサ４の上流側に開閉弁５１が、粘度センサ４の下流側に開閉弁５２が設けられている。このため、供給口２１よりインクを供給している状態でまず開閉弁５２を閉止し、それから一定時間経過後に開閉弁５１を閉止することで、配管２０のうち開閉弁５１、５２に仕切られる区間（測定空間Ｌ１）をインクで満たすことができる。測定工程では、こうして測定空間Ｌ１に貯留されたインクの特定部位について、経時的な粘度変化が測定される。このように、実施の形態２のインク検査装置１Ａでは、配管２０と開閉弁５１、５２とがインクを保持する保持体として機能する。そして、測定空間Ｌ１に貯留（静置）されたインクは、本発明における「保持体で保持されたインク」に相当する。
【００７５】
攪拌手段３は、配管２０の流路に沿って取り付けられており、配管２０内を流動するインクを攪拌する。また、撹拌手段３は、粘度センサ４の上流側に取り付けられているため、測定空間Ｌ１での粘度測定の前にインクの攪拌が行なわれる。これにより、粘度測定の開始時にはインク中の顔料はほぼ均一な状態で分散している。
【００７６】
実施の形態２の攪拌手段３としては特に限定されないが、例えば、ＯＮ／ＯＦＦの切り替えが可能な超音波振動を発生させる装置等が挙げられる。この装置によれば超音波振動によって配管２０内を流れるインクを攪拌することができる。また、攪拌手段３としては、例えばプロペラ等を回転させることによって、配管２０内を流れるインクを攪拌できるような、マクロな可動部を有する装置を用いてもよい。インク中の顔料の沈降曲線は熱力学的な過渡曲線の１つであるから時間に関して指数関数的であり、沈降が進むほど単位時間あたりの密度変化は小さくなる。従って、粘度測定前にインクを攪拌することにより、インク中で単位時間あたりの密度変化が最も大きくなるような時間域を、粘度の測定期間に利用でき、沈降状態の評価精度を向上させ、検査精度を高くすることができる。
【００７７】
また、分散状態の異なる複数種類のインク、例えば、白色インクとマゼンタインクとシアンインクとについて沈降状態を評価する場合であっても、測定工程の開始時すなわち初期状態での各インクについての分散状態を攪拌によって同条件とすることにより、検査結果の安定性が向上する。
【００７８】
粘度センサ４は、実施の形態１と同様、その検出部４２を測定空間Ｌ１の下面に接触して設けられた下方粘度センサ４１と、その検出部４４を測定空間Ｌ１の上面に接触して設けられた上方粘度センサ４３と、によって構成される。
【００７９】
図７は、本実施の形態２に係るインク検査装置１Ａの粘度センサ４の構成を示す説明図である。以下の説明では、実施の形態１と同様、測定空間Ｌ１に関して、測定空間Ｌ１に貯留された状態でインクが占める上下高さ範囲の中心高さに規定した仮想水平面ＩＰを境界として、上半分の高さ範囲を「上部領域Ｌ３」、下半分の高さ範囲を「下部領域Ｌ２」と呼ぶ。
【００８０】
粘度センサ４では、実施の形態１と同様、測定空間Ｌ１に貯留されたインクに対して、下部領域Ｌ２内に設定された下方測定部位Ｌ２０（第２部位）に対しては下方粘度センサ４１で、上部領域Ｌ３内に設定された上方測定部位Ｌ３０（第１部位）に対しては上方粘度センサ４３で粘度を測定し、これらの測定結果に基づいて下方粘度データと上方粘度データとを生成する。
【００８１】
図８に示す制御部６Ａは、インク検査装置１Ａに設けられた前記の種々の動作機構を制御する。制御部６Ａは、その概略的構成において実施の形態１の制御部６と同様であるが、バスライン６９に攪拌手段３及び開閉弁５１、５２が接続されている点で制御部６とは異なる。この結果、制御部６ＡのＣＰＵ６１は、固定ディスク６４に格納されている処理プログラムを実行することにより、インク検査装置１Ａに係る各部を制御してインクの沈降状態評価を実行する。
【００８２】
＜２．２  インク検査装置１Ａを用いたインク検査方法＞
次に、インク検査装置１Ａを用いたインク検査方法について説明する。図９は、実施の形態２のインク検査装置１Ａにおける沈降状態評価の動作を示すフロー図である。図１０は、沈降状態評価の動作過程におけるインク検査装置１Ａを概略的に示す説明図である。
【００８３】
まず、検査対象であるインクを、インク検査装置１Ａ内に供給する。具体的には、インク検査装置１Ａの使用者は、スポイトなどの器具を用いて所定量のインクを供給口２１に供給する（ステップＳＴ１１）。供給口２１に供給されたインクは、配管２０内を流動し、攪拌手段３に対向する位置を経由して測定空間Ｌ１に向けて流れる（図１０（ａ））。このとき、攪拌手段３は、超音波振動を発生させるＯＮ状態となるよう制御部６Ａによって制御される。その結果、当該超音波振動によって配管２０内の攪拌手段３と対向する位置を流れるインクが攪拌される（ステップＳＴ１２：攪拌工程）。
【００８４】
また、図１０（ａ）に示すように、供給口２１よりインクの供給が開始されてから測定空間Ｌ１がインクで満たされるまでの期間は開閉弁５１を開状態とし、開閉弁５２を閉状態とする。これにより、配管２０内を流れるインクは下流に位置する開閉弁５２で堰き止められる。その結果、測定空間Ｌ１（配管２０内の空間のうち開閉弁５１と開閉弁５２とで挟まれる空間）がインクで満たされる。そして、測定空間Ｌ１がインクで満たされると、図１０（ｂ）に示すように開閉弁５１も閉状態となる（ステップＳＴ１３）。なお、実施の形態２における開閉弁５１、５２の開閉制御は制御部６Ａによって行なわれる全自動形式であるが（図９）、装置の使用者が開閉に対応するボタンを押すような半自動形式、或いは装置の使用者によって手動で開閉される手動形式であっても構わない。
【００８５】
続いて、ステップＳＴ１４（測定工程）において、制御部６Ａにより上方粘度センサ４３と下方粘度センサ４１とが能動化される。この結果、測定空間Ｌ１に満たされ静止状態にあるインクに対して複数時点で粘度測定が行われる。粘度測定は、例えば、室温下で行われ、また、測定時間や測定間隔は特に限定されず、適宜必要に応じて設定することができる。これにより、測定工程においては、上方粘度データ及び／又は下方粘度データからなる粘度データが生成される。
【００８６】
次に、ステップＳＴ１４での測定工程が終了すると、インクにおける沈降状態を評価・表示するための工程であるステップＳＴ１５〜ステップＳＴ１７と、粘度測定後のインクを排出し配管部２を洗浄する工程であるステップＳＴ１８、ステップＳＴ１９とが並行的に実行される。
【００８７】
まず、ステップＳＴ１５〜ステップＳＴ１７にかかる工程について説明する。なお、これらの工程については、実施の形態１のインク検査装置１でのステップＳＴ３〜ステップＳＴ５と同様であるので、適宜省略しつつ説明する。
【００８８】
ステップＳＴ１５は、下方粘度データ及び／又は上方粘度データに基づき増粘速度データを生成する増粘速度データ生成工程である。すなわち、制御部６Ａは、下方粘度データ及び／又は上方粘度データを受け取ると、ＣＰＵ６１によって増粘速度データ生成プログラムＰＲ１を実行する。これにより、上方粘度データに基づく上方増粘速度データと、下方粘度データに基づく下方増粘速度データがそれぞれ生成される。
【００８９】
続いて、ステップＳＴ１６（評価工程）では、制御部６Ａが、ＣＰＵ６１によって沈降状態評価プログラムＰＲ２を実行する。沈降状態評価プログラムＰＲ２は、第１の評価基準に基づき、下方増粘速度データが適合しているか否かの下方評価データを生成する。また、第２の評価基準に基づき、上方増粘速度データが適合しているか否かの上方評価データも生成する。さらに、下方評価データ及び上方評価データに基づいて、顔料の沈降に関するインクの物性に関する総合評価データを生成させるようにしてもよい。ここで、前記第１の評価基準及び第２の評価基準については、実施の形態１で述べたのと同様である。
【００９０】
ステップＳＴ１７では、表示手段７に評価データ（上方、下方、総合）が表示される。インク検査装置１Ａの使用者は、この評価結果を見ることで、測定対象となったインクの沈降状態を把握することができる。なお、表示手段７には、インクの物質名、粘度データ、変化傾向データ、または処理条件（温度や測定期間）など、評価データ以外の各種情報を表示させることもできる。
【００９１】
続いて、粘度測定後のインクを排出し配管部２を洗浄する工程であるステップＳＴ１８及びステップＳＴ１９について説明する（図９）。
【００９２】
ステップＳＴ１４（測定工程）でインクの粘度測定が終了すると、制御部６Ａによって開閉弁５１、５２が開状態とされる（図１０（ｃ））。その結果、インクは、配管２０内を流動し排出口２２よりインク検査装置１Ａの外部に排出される（ステップＳＴ１８）。
【００９３】
そして、開閉弁５１、５２を開状態としたまま供給口２１より洗浄液が供給される。例えば、装置の使用者がスポイト等を用いてこの洗浄液を供給する。この結果、当該洗浄液が配管２０内を流動し排出口２２より排出されることで配管２０の内部が洗浄され、後続の測定・検査対象となるインクについて測定可能な状態となる（ステップＳＴ１９）。洗浄液洗浄条件については特に限定されない。洗浄液としては、例えば、水等が挙げられる。
【００９４】
＜２．３  実施の形態２のインク検査装置１Ａの効果＞
実施の形態２のインク検査装置１Ａでは、粘度の測定工程に先立ってインクの攪拌工程が行われるため、粘度測定の際には、インク中の顔料をほぼ均一に分散した状態にすることができる。その結果、単位時間あたりの密度変化が最も大きくなるような時間域を粘度の測定期間に利用できることとなり、沈降状態の評価精度が特に高くなる。
【００９５】
また、分散状態の異なる複数のインク（白色インク、マゼンタインク、シアンインク）について沈降状態評価方法を適用する場合であっても、実施の形態２のインク検査装置１Ａでは、測定開始時すなわち初期状態での各インクについての分散状態を同条件とすることができ、沈降状態評価の安定性を向上させることができる。
【００９６】
なお、実施の形態１のインク検査装置１Ａは、実施の形態１のインク検査装置１と同様の構成である部分ついては、同様の効果が得られることは言うまでもない。
【００９７】
＜２．４  変形例＞
本実施の形態２においては、図１１に示すようなインク検査装置１Ｂの構成も採用することができる。図１１は、実施の形態２のインク検査装置１Ａの変形例であるインク検査装置１Ｂを示す説明図である。インク検査装置１Ｂが実施の形態２のインク検査装置１Ａと相違するのは、上方粘度センサ４３と下方粘度センサ４１との配置位置である。
【００９８】
実施の形態２のインク検査装置１Ａでは、下方粘度センサ４１での粘度測定位置が下方測定部位Ｌ２０（インクの下面付近）に、上方粘度センサ４３での粘度測定位置が上方測定部位Ｌ３０（インクの上面付近）に設定されている（図２）。一方、インク検査装置１Ｂでは下方粘度センサ４１での粘度測定位置が下部領域Ｌ２内に設定された第２部位Ｌ２１に、上方粘度センサ４３での粘度測定位置が上部領域Ｌ３内に設定された第１部位Ｌ３１に設定されているが、それぞれ領域内の下面付近、上面付近に設定されているわけではない（図１１）。
【００９９】
本変形例のように、第１部位及び第２部位が上方測定部位Ｌ３０及び下方測定部位Ｌ２０に対応していない場合であっても、上部領域Ｌ３内に設定された第１部位Ｌ３１と下部領域Ｌ２内に設定された第２部位Ｌ２１との双方についての粘度の経時的変化傾向に基づいて沈降状態の評価をすれば、逆符号の粘度変化傾向を持つ複数の部位での測定結果を利用して顔料の沈降状態を評価することはでき、一方の領域のみについての測定結果を基に沈降状態を評価する場合に比べて評価の信頼性が高まる。
【０１００】
（その他の事項）
なお、前記各実施形態のように測定部位が上面付近（或いは下面付近）に設定された場合、上面付近（或いは下面付近）では顔料の沈降による粘度の時間的増加（或いは低下）が最も大きいため沈降状態評価の精度が高まる、という効果が得られる点で望ましい。
【０１０１】
前記各実施形態では、制御部６、６ＡがＣＰＵ６１によって増粘速度データ生成プログラムＰＲ１を実行することで、粘度データの経時的な変化傾向を特定する変化傾向特定手段として機能する。この増粘速度データ生成プログラムＰＲ１としては、上述した粘度の変化量を特定するプログラム以外にも、例えば、時間による粘度の変化率を特定するプログラムを採用することができる。
【０１０２】
また、前記各実施形態では、制御部６、６ＡがＣＰＵ６１によって沈降状態評価プログラムＰＲ２を実行することで、変化傾向データと所定の評価基準とに基づいて評価データを生成する沈降状態評価手段として機能する。この沈降状態評価プログラムＰＲ２においても上述した沈降状態評価プログラムとは異なるプログラムを採用することができる。例えば、第１の評価基準（下方測定における評価基準）と第２の評価基準（上方測定における評価基準）が別の閾値であってもよい。また、閾値の数（前記実施形態では２つ）は、１つであってもよいし３つ以上であってもよい。また、前記実施の形態１では下方評価データと上方評価データとの点数の和によって総合評価データを生成したが、これに限られるものではなく、総合評価データの生成方法についても公知の種々の演算方法を利用することができる。
【０１０３】
前記各実施形態では、表示手段７が、制御部６、６Ａによって生成される評価データ（上方、下方、総合）を表示する態様を示したがこれに限られるものではない。表示手段７は、評価の指標値として、少なくとも変化傾向データを表示すればよい。この場合、装置の使用者は当該変化傾向データを見ることでインクの沈降状態を把握することができる。なお、前記各実施形態のように評価データを表示すれば、装置の使用者はインクの沈降状態をより把握しやすい。
【０１０４】
また、前記各実施形態の検査方法により評価基準を満たしたインクは、インクジェット式記録装置等に用いられ、経時変化によっても吐出不良の発生を抑制し良好な印刷を可能にする。
【０１０５】
インクジェット記録方法は、微細なノズルより任意の記録媒体にインクを液滴として吐出し、その液滴を記録媒体に付着させることにより行うことができる。吐出方法として特に限定されず、例えば、連続噴射型（荷電制御型、スプレー型等）、オンデマンド型（ピエゾ方式、サーマル方式、静電吸引方式等）等の公知の方法を採用することができる。また、吐出口のサイズや吐出形状等についても特に限定されない。
【０１０６】
前記記録媒体としては特に限定されず、従来公知のものを用いることができる。前記各実施形態のインク検査により評価基準を満たしたインクは、ノズルの吐出不良を生じることなく、良好な画像印刷を可能にする。
【実施例】
【０１０７】
（実験例１）
本実施例１においては、検査対象として、白色顔料の顔料を溶剤となる液体中に分散させたインクジェット用の白色インクＡを用いた。前記白色インクＡの組成は、顔料２０質量％、分散剤１質量％、光硬化型樹脂７３質量％、光重合開始剤６質量％及び添加剤０．１質量％であった。
【０１０８】
前記の白色インク対し、前記実施の形態１に係るインク検査装置１を用いて検査を行った。粘度センサとしては、Ｖｅｃｔｒｏｎ社製のＶｉＳｍａｒｔセンサ（ＶｉＳｍａｒｔは登録商標）を用いた。また、粘度の測定は下方粘度センサ４１のみにより行った。白色インクは、スポイトを用いて、測定部４Ａの保持体２Ａには１０ｇを供給し、測定部４Ｂの下方粘度センサ４１上には０．５ｇを供給した。検査は室温である２５℃で行い、白色インクに対して３０分間の測定期間中３０秒毎に粘度の測定を行った。
【０１０９】
評価基準は増粘速度が０．１ｍＰａ・ｓ／ｍｉｎ以下の場合を○とし、０．１ｍＰａ・ｓ／ｍｉｎより大きく０．２ｍＰａ・ｓ／ｍｉｎ以下の場合を△とし、０．２ｍＰａ・ｓ／ｍｉｎを超える場合を×とした。結果を下記表１及び図１２に示す。
【０１１０】
（実験例２）
本実験例２においては、実験例１と比較して、検査対象のインクとして白色インクＢを用いたこと以外は、実施例１と同様にして白色インクＢの検査を行った。結果を下記表１及び図１２に示す。
【０１１１】
（実験例３）
本実験例３においては、実験例１と比較して、検査対象のインクとして白色インクＣを用いたこと以外は、実施例１と同様にして白色インクＣの検査を行った。結果を下記表１及び図１２に示す。
【０１１２】
【表１】
2015193112.tif 000003
【符号の説明】
【０１１３】
１、１Ａ、１Ｂ  検査装置
２  配管部
２Ａ  保持体
３  攪拌手段
４  粘度センサ
４Ａ、４Ｂ  測定部
６、６Ａ  制御部
７  表示手段
２０  配管
４１  下方粘度センサ
４２  検出部
４３  上方粘度センサ
４４  検出部
ＩＰ、ＩＰａ、ＩＰｂ  仮想水平面
Ｌ１、Ｌ１ａ、Ｌ１ｂ  測定空間
Ｌ２、Ｌ２ａ、Ｌ２ｂ  下部領域
Ｌ３、Ｌ３ａ、Ｌ３ｂ  上部領域
Ｌ２０  下方測定部位
Ｌ２１  第２部位
Ｌ３０  上方測定部位
Ｌ３１  第１部位
【図１】
2015193112.tif 000004
【図２】
2015193112.tif 000005
【図３】
2015193112.tif 000006
【図４】
2015193112.tif 000007
【図５】
2015193112.tif 000008
【図６】
2015193112.tif 000009
【図７】
2015193112.tif 000010
【図８】
2015193112.tif 000011
【図９】
2015193112.tif 000012
【図１０】
2015193112.tif 000013
【図１１】
2015193112.tif 000014
【図１２】
2015193112.tif 000015